(57)【要約】【課題】洗浄運転中に使用者が洗浄槽を引き出そうとしたときに洗浄ノズルから噴射された洗浄水が筐体の外に飛び出すことが防止された食器洗い機を提供する。【解決手段】前面が開口された筐体１と、筐体１内に出し入れ自在に設置され上面が開口された洗浄槽２と、洗浄槽２の前面に設けられ洗浄槽２が筐体１内に完全に収容された収納位置にあるときに筐体１の前面を覆うドア９と、洗浄槽２が収納位置にあることを検知するマイクロスイッチ１３と、洗浄槽２内に収容された食器類４に洗浄水を噴射して洗浄する洗浄装置６と、洗浄装置６を制御して一連の洗浄運転を実行するとともに、マイクロスイッチ１３により洗浄槽２が収納位置から移動したことを検知すれば直ちに洗浄装置６の運転を停止する制御装置１１と、洗浄槽２が収納位置から引き出されるときに収納位置またはその近傍から所定位置まで引き出し速さを抑制する制動力を発生する制動装置１４とを有する。【選択図】図１
2015146936.tif 000002
【特許請求の範囲】
【請求項１】
前面が開口された筐体と、前記筐体内に前後方向に移動自在に設置され上面が開口された洗浄槽と、前記洗浄槽の前面に設けられ前記洗浄槽が前記筐体内に完全に収容された収納位置にあるときに前記筐体の前面を覆うドアと、前記洗浄槽が前記収納位置にあることを検知する位置検知装置と、前記洗浄槽内に収容された食器類に洗浄水を噴射して洗浄する洗浄装置と、前記洗浄装置を制御して一連の洗浄運転を実行するとともに、前記位置検知装置により前記洗浄槽が前記収納位置から移動したことを検知すれば直ちに前記洗浄装置の運転を停止する制御装置と、前記洗浄槽が前記収納位置から引き出されるときに前記収納位置またはその近傍から所定位置まで引き出し速さを抑制する制動力を発生する制動装置とを有する食器洗い機。
【請求項２】
前記所定位置は、前記洗浄装置に含まれる洗浄ノズルから噴射された洗浄水が前記筐体の外に飛び出さない位置とする請求項１記載の食器洗い機。
【請求項３】
前記制動力は、前記洗浄槽が前記収納位置から引き出されるときに前記収納位置から前記所定位置まで所定時間以上かかるように発生する請求項１または２記載の食器洗い機。
【請求項４】
前記所定時間は、前記位置検知装置が前記洗浄槽の移動を検知してから前記洗浄ノズルからの洗浄水の噴射が停止するまでの時間とする請求項３記載の食器洗い機。
【請求項５】
前記制動力は、前記洗浄槽が引き出そうとされる速さに応じて変化する請求項１〜４のうちいずれか１項記載の食器洗い機。
【請求項６】
前記制動力は、前記洗浄槽の前記収納位置からの動き始めには発生しない請求項１〜５のうちいずれか１項記載の食器洗い機。
【請求項７】
前記制動装置はダンパーにより構成された請求項１〜６のうちいずれか１項記載の食器洗い機。
【請求項８】
前記ダンパーは、前記洗浄槽が引き出される方向にのみ前記制動力を発生する請求項７記載の食器洗い機。
【請求項９】
前記ドアは、収納されるシステムキッチンの扉の意匠に合わせたハンドルと化粧パネルを装着することができる請求項１〜８のうちいずれか１項記載の食器洗い機。
【発明の詳細な説明】
【技術分野】
【０００１】
本発明は、洗浄ノズルから洗浄水を噴射して食器類を洗浄する食器洗い機で、特にビルトインタイプの食器洗い機に関する。
【背景技術】
【０００２】
従来のビルトインタイプで引き出し式の食器洗い機は、洗浄運転中に使用者が洗浄槽を引き出そうとしたとき、噴射された洗浄水が洗浄槽から飛び出さないように構成され、例えば以下に示すような技術が開示されている。
【０００３】
図８は従来の食器洗い機の側面断面図であり、いわゆる引き出し方式のビルトインタイプの食器洗い機がシステムキッチンに収納された状態を示す。なお、二点鎖線で記載された部分は食器洗い機本体から洗浄槽が引き出された状態を示す（例えば、特許文献１参照）。
【０００４】
この食器洗い機は、前方に開口する食器洗い機本体１０１内に、前後方向に移動自在に設置され上方に開口を有する洗浄槽１０２と、洗浄槽１０２の前部に設けられて食器洗い機本体１０１の前面を覆うドア１０２ａとを備えている。洗浄槽１０２内には食器類１０３を戴置する食器カゴ１０４と、食器カゴ１０４に戴置された食器類１０３に洗浄水を噴射して洗浄する洗浄ノズル１０５が設けられている。食器洗い機本体１０１内で洗浄槽１０２の後方には、洗浄槽１０２の前後移動を検知するマイクロスイッチ１０６と、洗浄槽１０２の移動を第一の拘束位置と第二の拘束位置で拘束するギアードモータ１０７（電磁弁でもよい）とが配設されている。そして、ギアードモータ１０７による洗浄槽１０２の移動の拘束中に、洗浄槽１０２が第一の拘束位置から第二の拘束位置に移動したことをマイクロスイッチ１０６が検知してから所定時間以内は、ギアードモータ１０７による拘束を解除しないものである。
【０００５】
この構成により、使用者がドア１０２ａの取っ手１０２ｂを持って洗浄槽１０２を引き出そうとしても、少なくとも所定時間は洗浄槽１０２を第二の拘束位置より前に引き出せないので、洗浄ノズル１０５から噴射される洗浄水が外に飛び出したり、使用者にかかったりすることがない。
【０００６】
図９は他の従来の食器洗い機のドア上部の側面断面図であり、洗浄槽を引き出す取っ手と取っ手に手を掛けられたことを検知する取っ手スイッチの概要を示す（例えば、特許文献２参照）。この食器洗い機は、図８と同様に、食器洗い機本体内に前後方向へ移動可能に設けられた洗浄槽１１１を備え、洗浄槽１１１の前面にドア１１２を有する。ドア１１２は、上部に洗浄槽１１１を引き出すために手を引っ掛けるための取っ手１１３を備え、取っ手１１２の内側に回動自在に設けられた取っ手レバー１１４を有する。そして、使用者が洗浄槽１１１を引き出そうとして取っ手１１３に手を掛けると、取っ手レバー１１４が押されて軸１１４ａを中心に角度θ１だけ回動し、取っ手１１３の内側に手を掛けるための空間が現れる。この構成により、取っ手レバー１１４を回動させない限り、取っ手１１３の内部に手を掛けることができる空間が現れず、洗浄槽１１１を前方に引くことができない。
【０００７】
さらに、洗浄槽１１１の前後方向への移動をロックおよびロック解除するロック装置（図示せず）と、取っ手レバー１１４の回動を検知する取っ手スイッチ１１５とを備える。取っ手スイッチ１１５は、取っ手レバー１１４が角度θ１より小さい角度θ３だけ回動した時点で取っ手レバー１１４の回動を検知する。そして、図示しない制御装置は、取っ手
スイッチ１１５が検知した後に前記ロック装置をロック解除するとともに、図示しない洗浄ノズルから洗浄水を噴射させる洗浄ポンプを停止する。すなわち、使用者が取っ手１１３にわずかに手を掛けただけでロック装置が解除されるが、洗浄槽１１１を引き出すためには取っ手レバー１１４を角度θ１まで回動させるまで手を掛ける必要があり、わずかではあるが時間が経過する。その間に洗浄ポンプが停止して洗浄槽１１１が引き出される前に洗浄ノズルからの洗浄水の噴射が停止し、洗浄水が機外に飛び出すのを防ぐことができる。
【先行技術文献】
【特許文献】
【０００８】
【特許文献１】特開２００７−３０１０６５号公報
【特許文献２】特開２０１１−２０６１３０号公報
【発明の概要】
【発明が解決しようとする課題】
【０００９】
しかしながら、特許文献１に示される従来の構成では、洗浄槽の移動をロックする方法としてギアードモータや電磁弁などを使用するため、運転中に停電したときにはロックが解除できなくなる。そのため、停電時でもロックが解除できるように何らかの対応が必要であるという課題がある。また、ギアードモータや電磁弁などは電気エネルギーを消費するために省エネに反する。さらに、使用者が急いで引き出そうとしたときに洗浄槽がロックされていると、使用者は戸惑ったり不快感を生じたりするといった課題があった。
【００１０】
また、特許文献２に示される従来の構成では、使用者が取っ手レバーを押してロック装置のロックが解除されてから引き出すことができるようになる間に洗浄ポンプが停止するが、洗浄水の噴射が完全に止まるのは少し遅れる。そのため、使用者が洗浄槽を引き出す速さがゆっくりであれば問題ないが、急ぐような状態で取っ手に手をかけて勢いよく引き出された場合には洗浄水の噴射が完全に止まっていない可能性があり、そのときには洗浄水が機外に飛び出すのを防ぎ切れないという課題がある。換言すれば、従来の構成では、使用者のさまざまな使い方に対応して洗浄水が機外に飛び出すのを防ぎ切れないという課題がある。
【００１１】
本発明は、上記従来の課題を解決するもので、洗浄運転中に使用者が洗浄槽を引き出そうとしたときには洗浄槽が引き出される速さを抑制し、噴射された洗浄水が外に飛び出して周囲を濡らすことがない食器洗い機を提供することを目的とする。
【課題を解決するための手段】
【００１２】
前記従来の課題を解決するために、本発明の食器洗い機は、前面が開口された筐体と、前記筐体内に前後方向に移動自在に設置され上面が開口された洗浄槽と、前記洗浄槽の前面に設けられ前記洗浄槽が前記筐体内に完全に収容された収納位置にあるときに前記筐体の前面を覆うドアと、前記洗浄槽が前記収納位置にあることを検知する位置検知装置と、前記洗浄槽内に収容された食器類に洗浄水を噴射して洗浄する洗浄装置と、前記洗浄装置を制御して一連の洗浄運転を実行するとともに、前記位置検知装置により前記洗浄槽が前記収納位置から移動したことを検知すれば直ちに前記洗浄装置の運転を停止する制御装置と、前記洗浄槽が前記収納位置から引き出されるときに前記収納位置またはその近傍から所定位置まで引き出し速さを抑制する制動力を発生する制動装置とを有するものである。
【００１３】
この構成により、洗浄運転中に使用者が洗浄槽を引き出そうとしたときには洗浄槽の引き出し速さが制動装置により抑制され、その間に洗浄水の噴射が完全に止まることによって噴射された洗浄水が筐体の外に飛び出すことが防止され、洗浄水が周囲を濡らすことがない。
【発明の効果】
【００１４】
本発明の食器洗い機は、洗浄運転中に使用者が洗浄槽を引き出そうとしたときでも噴射された洗浄水が筐体の外に飛び出すことが防止され、洗浄水が周囲を濡らすことがない。
【図面の簡単な説明】
【００１５】
【図１】本発明の実施の形態１における食器洗い機の側面断面模式図
【図２】本発明の実施の形態１における食器洗い機の側面断面模式図
【図３】本発明の実施の形態１における食器洗い機の側面断面模式図
【図４】本発明の実施の形態１における食器洗い機の制動装置の構成を示す模式図
【図５】本発明の実施の形態１における食器洗い機の制動装置の構成を示す模式図
【図６】本発明の実施の形態２における食器洗い機の側面断面模式図
【図７】本発明の実施の形態２における食器洗い機の制動装置の構成を示す模式図
【図８】従来の食器洗い機の側面断面図
【図９】他の従来の食器洗い機のドア上部の側面断面図
【発明を実施するための形態】
【００１６】
第１の発明の食器洗い機は、前面が開口された筐体と、前記筐体内に前後方向に移動自在に設置され上面が開口された洗浄槽と、前記洗浄槽の前面に設けられ前記洗浄槽が前記筐体内に完全に収容された収納位置にあるときに前記筐体の前面を覆うドアと、前記洗浄槽が前記収納位置にあることを検知する位置検知装置と、前記洗浄槽内に収容された食器類に洗浄水を噴射して洗浄する洗浄装置と、前記洗浄装置を制御して一連の洗浄運転を実行するとともに、前記位置検知装置により前記洗浄槽が前記収納位置から移動したことを検知すれば直ちに前記洗浄装置の運転を停止する制御装置と、前記洗浄槽が前記収納位置から引き出されるときに前記収納位置またはその近傍から所定位置まで引き出し速さを抑制する制動力を発生する制動装置とを有するものである。
【００１７】
この構成により、洗浄運転中に使用者が洗浄槽を引き出そうとしたときには洗浄槽の引き出し速さが制動装置により抑制され、その間に洗浄水の噴射が完全に止まることによって噴射された洗浄水が筐体の外に飛び出すことが防止され、洗浄水が周囲を濡らすことがない。
【００１８】
第２の発明は、第１の発明において、前記所定位置は、前記洗浄装置に含まれる洗浄ノズルから噴射された洗浄水が前記筐体の外に飛び出さない位置とするものである。これにより、洗浄水が筐体の外に飛び出さない洗浄槽の位置として明確であり、洗浄槽が引き出されるときに必要な制動力が作用して確実に洗浄水の飛び出しが防止される。
【００１９】
第３の発明は、第１または第２の発明において、前記制動力は、前記洗浄槽が前記収納位置から引き出されるときに前記収納位置から前記所定位置まで所定時間以上かかるように発生するものである。これにより、洗浄槽が引き出されるときに必要な制動力が作用して引き出し速さが抑制され、確実に洗浄水の飛び出しが防止される。
【００２０】
第４の発明は、第３の発明において、前記所定時間は、前記位置検知装置が前記洗浄槽の移動を検知してから前記洗浄ノズルからの洗浄水の噴射が停止するまでの時間とするものである。これにより、洗浄ノズルからの洗浄水の噴出停止までの停止時間を見越して、洗浄槽が引き出されるときに必要な制動力が作用して引き出し速さが抑制され、確実に洗浄水の飛び出しが防止される。
【００２１】
第５の発明は、第１〜第４の発明において、前記制動力は、前記洗浄槽が引き出そうとされる速さに応じて変化するものである。これにより、洗浄槽がゆっくり引き出される場
合には使用者は余分な力を必要としなくて良いし、引き出し時間が無意味に延長されてしまうことが抑制される。そして、洗浄槽が勢いよく引き出される場合には大きな制動力が発生し、使用者のさまざまな使い方に対応して引き出し速さが抑制され、洗浄水が機外に飛び出すことが防止されるとともに使い勝手が向上する。
【００２２】
第６の発明は、第１〜第５の発明において、前記制動力は、前記洗浄槽の前記収納位置からの動き始めには発生しないものである。これにより、使用者が洗浄槽を引き出すときの最初に必要な一番大きな力が増加することなく、使用感が損なわれない。
【００２３】
第７の発明は、第１〜第６の発明において、前記制動装置はダンパーにより構成されたものである。これにより、電気エネルギーを消費することがない。また、使用者が洗浄槽を急いで引き出そうとしたときに、洗浄槽の移動に制動力が働くだけでロックされるものではないため、使用者が戸惑ったり不快感を生じたりすることがない。
【００２４】
第８の発明は、第７の発明において、前記ダンパーは前記洗浄槽が引き出される方向にのみ前記制動力を発生するものである。これにより、洗浄槽が押し込まれるときに使用者は余分な力を必要としない。
【００２５】
第９の発明は、第１〜第８の発明において、前記ドアは、収納されるシステムキッチンの扉の意匠に合わせたハンドルと化粧パネルを装着することができるものである。これにより、システムキッチンと一体化してシステムキッチンのデザイン性が向上する。
【００２６】
以下、本発明の実施の形態について、図面を参照しながら説明する。なお、この実施の形態によって本発明が限定されるものではない。
【００２７】
（実施の形態１）
図１から図３は、本発明の実施の形態１における食器洗い機の側面断面模式図であり、引き出し方式のビルトインタイプの食器洗い機がシステムキッチンに収納された状態を示す。図１は洗浄槽が筐体内に完全に収容された状態を示し、図２は洗浄槽が所定位置まで筐体から引き出された状態を示し、図３は洗浄槽が所定位置を越えて筐体から引き出された状態を示す。なお、本実施の形態では、図１に示すような洗浄槽が筐体内に完全に収容された位置を収納位置と称する。また、図面上左方向が洗浄槽の引き出し方向である。
【００２８】
図１から図３において、食器洗い機はシステムキッチンＫに収納され、箱状に形成され前面が開口された筐体１の内部に、前後方向に移動自在に設置され上面が開口された洗浄槽２を備える。洗浄槽２は、筐体１の両側壁の内側に水平に配設された案内レール３に懸架されて小さな力で前後方向に移動するように構成され、人である使用者の力によって筐体１の外へ引き出されたり、筐体１内に押し込まれたりする。洗浄槽２は、内部に食器類４を整列配置するための食器かご５を有し、食器類４に洗浄水を噴射して洗浄する洗浄装置６を備えている。洗浄装置６は、洗浄槽２に給水された洗浄水を循環させる洗浄ポンプ７と、洗浄ポンプ７で圧送された洗浄水を食器類４に噴射する洗浄ノズル８とを含む。
【００２９】
洗浄槽２の前方にはドア９が設けられ、ドア９は洗浄槽２が筐体１の内部に完全に押し込まれて収容された収納位置にあるときに筐体１の前面を覆う。食器洗い機が収納されるシステムキッチンＫの扉や引き出しと同じ意匠の化粧パネル９ａがドア９の全面に装着される。ドア９には、洗浄槽２を筐体１の外へ引き出したり、筐体１内に押し込んだりする際に使用者が掴むハンドル９ｂが具備されており、ハンドル９ｂもシステムキッチンＫの扉や引き出しと同じ意匠である。
【００３０】
従来の食器洗い機のドアは、その大部分がシステムキッチンの扉と同じ意匠の化粧パネ
ルが装着されていたとしてもハンドルの意匠は異なり、ロックを解除する操作レバーを内蔵していたり、操作スイッチや運転ランプなどが配設されていたりする。しかし、本実施の形態の食器洗い機は、ドア９の意匠はシステムキッチンと同じであり、一見しただけでは食器洗い機が収納されていることが判別しにくいような構成である特徴を有する。
【００３１】
洗浄槽２の上面の開口を閉塞する中蓋１０が筐体１の内側上部に設けられている。中蓋１０は裏面にパッキン１０ｂを有するとともに、前後一対のリンクを含む左右一対のリンク機構１０ａにより上下動自在に配置され、洗浄槽２の前後の動きに応じて上下に移動して洗浄槽２が収納位置にあるときに上面の開口を閉塞する。また、食器洗い機の洗いステップ、すすぎステップ、乾燥ステップなどの一連の洗浄運転を実行する制御装置１１が洗浄槽２とドア９の間に設置されている。さらに、使用者が一連の運転の設定などを行う操作部１２が制御装置１１の上方に設けられている。
【００３２】
筐体１の内部には洗浄槽２が引き出されて収納位置から移動したことを検知する位置検知装置であるマイクロスイッチ１３が設置され、制御装置１１に接続されている。制御装置１１は、マイクロスイッチ１３により洗浄槽２が収納位置から移動したことを検知すれば直ちに洗浄ポンプ７の運転を停止する。
【００３３】
また、筐体１の内側側面には、洗浄槽２が収納位置から引き出されるときに収納位置またはその近傍から所定位置まで引き出し速さを抑制する制動力を発生する制動装置１４が設置されている。ここに記載した所定位置は、特に限定するものではないが、本実施の形態では洗浄ノズル８から噴射された洗浄水が筐体１の外に飛び出さない位置とし、具体的な位置は後述する。このようにすれば、洗浄水が筐体１の外に飛び出さない洗浄槽２の位置として明確であり、洗浄槽２が引き出されるときに必要な制動力を作用させて確実に洗浄水の飛び出しを防止することができる。洗浄槽２の側面には制動装置１４と連携する突起部１５が設けられている。
【００３４】
図４と図５は、本発明の実施の形態１における食器洗い機の制動装置の内部構造を示す模式図である。図４は図１に示す状態に相当し、図５は図２に示す状態に相当する。図４において、制動装置１４は筐体１の側面に取り付けられており、洗浄槽２は収納位置にある。制動装置１４は、ケース１６の内部に、ダンパー１７と、突起部１５が係合する受け部１８と、バネ１９とを有し、受け部１８の移動を案内するガイド部１６ａがケース１６の側面に形成されている。
【００３５】
ダンパー１７は、洗浄槽２の移動方向に出入りするダンパーロッド１７ａを有する引張りダンパーである。また、ダンパー１７は片方向にのみ制動力を発生する構成であり、ダンパーロッド１７ａが引き出されるときに制動力を発生し、ダンパーロッド１７ａが押し込まれるときには制動力を発生しない。受け部１８はダンパーロッド１７ａの先端を揺動軸１７ｂとして筐体１の側面と平行に揺動自在に取り付けられている。受け部１８は、受け部１８に設けられた２本のガイドピン１８ａ、１８ｂがガイド部１６ａに係合することによりガイド部１６ａに沿って移動する。受け部１８は下側が窪んだ凹部１８ｃを有し、凹部１８ｃに洗浄槽２に設けられた突起部１５が収まる。ガイド部１６ａは、ダンパー１７とは反対の端部側で上方に曲がるＪ字形状に形成されている。
【００３６】
バネ１９は引張りバネであり、一端はケース１６に設けられた係止部１６ｂに係止され、他端は揺動軸１７ｂより上部で受け部１８に設けられた係止部１８ｄに係止されている。バネ１９の張力は、受け部１８がガイド部１６ａでぐらつかないように常時、係止部１８ｄに作用するとともに、ダンパーロッド１７ａを押し込む方向に作用する。また、この張力は、ダンパー１７が有する、制動力が発生しない押し込み方向の抵抗を低減もしくは解消するようにも作用する。図４に示した洗浄槽２が収納位置に収まった状態では、ダン
パー１７はダンパーロッド１７ａが押し込まれた状態で、突起部１５は受け部１８に収まった状態である。
【００３７】
図５は、洗浄槽２が引き出されて突起部１５とともに受け部１８が引き出し方向に移動した状態である。受け部１８が突起部１５の移動によりガイド部１６ａに沿って移動すると、引き出し側のガイドピン１８ａがガイド部１６ａの曲がりにより上方に移動する。これにより受け部１８が傾き、突起部１５は凹部１８ｃとの係止が外れる。バネ１９は引き伸ばされた状態になるが、受け部１８がバネ１９により受ける回転力によってガイドピン１８ａがガイド部１６ａの曲線端部に係止される状態となり、受け部１８とともにこの状態を保持する。
【００３８】
以上のように構成された食器洗い機について、以下その動作、作用を説明する。使用者がドア９に設けられたハンドル９ｂを掴んで洗浄槽２を引き出し、食器類４を食器かご５に配置して洗剤を入れた後、操作部１２にあるコース選択ボタンにより運転コースを選択し、運転開始のボタンを押す。その後、洗浄槽２を筐体１内の収納位置まで押し込む。このとき、中蓋１０はリンク機構１０ａにより後方かつ下方に移動し、洗浄槽２の開口を閉塞する。同時に、マイクロスイッチ１３は洗浄槽２が収納位置にあることを検知して検知信号を制御装置１１に送り、制御装置１１は洗浄運転を開始する。
【００３９】
制御装置１１は、洗浄運転を開始すると、給水弁（図示せず）を開いて洗浄水となる水道水を給水し、ヒータ（図示せず）に通電して洗浄水を加熱し、洗浄ポンプ７を駆動するなどの制御を行い、洗浄槽２に収容された食器類４を洗浄する一連の洗浄運転を行う。
【００４０】
ところで、このように洗浄運転を行っている途中であっても、使用者は食器類４の出し入れなどを行うことができる。その場合、使用者は洗浄槽２のドア９に設けられたハンドル９ｂを掴み、洗浄槽２を引き出すことになる。
【００４１】
洗浄運転中に洗浄槽２が引き出されると、マイクロスイッチ１３が洗浄槽２の移動を検知する。制御装置１１は、洗浄水を噴射する洗いステップやすすぎステップの途中であれば、洗浄ポンプ７への通電を直ちに停止する。洗浄ポンプ７は洗浄水を洗浄ノズル８へ圧送しており、通電が停止されても残圧や慣性力により洗浄ノズル８からの洗浄水の噴出はすぐには完全に停止しない。すなわち、洗浄ポンプ７への通電停止から短時間ではあるが一定期間経過後、洗浄ノズル８から洗浄水の噴出が完全に停止する。
【００４２】
一方、洗浄槽２の上面の開口は中蓋１０により閉塞されており、洗浄槽２が引き出される当初に中蓋１０が上方に移動し始めてもパッキン１０ｂの弾性により封止効果が効いている間は洗浄水が漏れることはない。また、図２に示す様に、少なくとも洗浄槽２の前端が筐体１より前に引き出されていなければ、洗浄ノズル８から噴出された洗浄水が筐体１の外へ飛び出すことはない。
【００４３】
本実施の形態では、洗浄槽２の前端が筐体１の前端まで引き出された位置を所定位置とする。この所定位置は、洗浄水が筐体１の外に飛び出さない洗浄槽２の位置として明確である。したがって、使用者の引き出しによる洗浄槽２の移動をマイクロスイッチ１３が検知してから、洗浄ノズル８からの洗浄水の噴出停止までの時間を停止時間とし、洗浄槽２が所定位置まで引き出される移動時間を引き出し時間とすると、停止時間と引き出し時間が同じかもしくは停止時間より引き出し時間が長ければ、洗浄水が筐体１の外へ飛び出すことはない。
【００４４】
洗浄槽２の制動装置１４は、この引き出し時間をダンパー１７により制御するものである。制動装置１４の制動力は、洗浄槽２が収納位置から引き出されるときに収納位置から
所定位置まで所定時間以上かかるように発生する。次に、制動装置１４の動作について説明する。
【００４５】
図４において、洗浄槽２が収納位置Ａから引き出されるとき、突起部１５は洗浄槽２に設けられているので引き出し方向に移動する。このとき、受け部１８は突起部１５に引っ張られて移動し、ダンパー１７は、移動する受け部１８によりダンパーロッド１７ａが引き出されて制動力を発生する。この制動力は、使用者が洗浄槽２を勢いよく引き出そうとした場合ほど大きく発生するものであり、ゆっくり引き出す場合には大きな制動力は発生しない。
【００４６】
なお、本実施の形態では、図４に示すように、受け部１８の凹部１８ｃの幅Ｗ１を突起部１５の幅Ｗ２より大きくしている。これにより、収納位置Ａから位置Ｂまでの動き始めには突起部１５が受け部１８を移動させないので制動力が発生しないため、使用者が洗浄槽２を引き出すときの最初に必要な一番大きな力が増加することなく、使用感が損なわれない。
【００４７】
図５において、ガイド部１６ａの引き出し側の端に受け部１８が来ると、ガイド部１６ａの曲線形状に合わせて受け部１８が傾き、凹部１８ｃから突起部１５が外れる。これ以降、洗浄槽２は制動装置１４に関係なく引き出される。受け部１８はバネ１９の張力によって傾いた状態に保持される。
【００４８】
制動装置１４はこの様に動作するため、洗浄槽２が引き出される場合、位置Ｂから所定位置Ｃまで引き出される間、ダンパー１７の制動力が働く。所定位置Ｃ以降に制動装置１４は全く作用しない。反対に、洗浄槽２が押し込まれる場合は、傾いた状態で保持された受け部１８の凹部１８ｃに洗浄槽２の突起部１５が収まり、受け部１８が洗浄槽２と同時に収納位置へ戻る。このとき、ダンパー１７は制動力を発生せず、バネ１９の張力が作用する。
【００４９】
ダンパー１７の制動力の大きさは、上述したように、洗浄水の停止時間と引き出し時間が同じかもしくは停止時間より引き出し時間が長くなるようにすればよい。本実施の形態の場合、例えば、マイクロスイッチ１３が検知してから洗浄ノズル８からの洗浄水の噴出停止までの停止時間は約０．４秒であり、洗浄槽２の収納位置から図２に示す様な洗浄槽２の所定位置までの所定寸法は３０ｍｍである。従って、洗浄槽２が、収納位置から所定位置となるまでの所定時間を０．５秒とした。この所定時間はこれに限定されるものではなく、停止時間以上かかるようにすればよい。これにより、洗浄ノズル８からの洗浄水の噴出停止までの停止時間を見越して、洗浄槽２が引き出されるときに必要な制動力が作用して確実に洗浄水の飛び出しが防止される。
【００５０】
ちなみに、ＪＩＳ  Ｓ１２００：２０１２において、収納ユニットの引出しの耐久性試験で推奨されている引出し開閉の平均速度は１秒間当たり０．２５±０．１ｍである。これを参考とすると、平均速度は０．１５ｍ／ｓ〜０．３５ｍ／ｓであり、所定寸法の３０ｍｍを移動するのは０．２秒〜０．０９秒である。実際に使用者が食器洗い機の洗浄槽２を引き出すときには、洗浄槽２が収納ユニットの引出しより重量があったり、制動装置１４のバネ１９の張力があったり、図示しない引出しの引き込み装置が備えられたりしていて引き出し抵抗が増える。
【００５１】
これらにより、引き出し時間が少し大きくなるのが実情であるが、本実施の形態では、洗浄槽２が収納位置から所定位置となるのに、引き出そうとされる速さに関わらず、所定時間の０．５秒以上で、できるだけ所定時間に近くなるように制動力を設定した。すなわち、制動力は、洗浄槽２が引き出そうとされる速さが速ければ大きくなり、遅ければ小さ
くなるように、速さに応じて変化する。これにより、洗浄槽２が引き出そうとされる速さが遅いときに引き出し時間が無意味に延長されてしまうことが抑制される。
【００５２】
以上のように、本発明に係る食器洗い機は、洗浄槽２が収納位置から引き出されるときに収納位置またはその近傍から所定位置まで引き出し速さを抑制する制動力を発生する制動装置１４を有することにより、洗浄運転中に使用者が洗浄槽２を引き出そうとしたときには洗浄槽２の引き出し速さが制動装置１４により抑制される。これにより、洗浄槽２が所定位置まで引き出される間に洗浄水の噴射が完全に止まり、噴射された洗浄水が筐体１の外に飛び出すことが防止され、洗浄水が周囲を濡らすことがない。
【００５３】
そして、制動装置１４はダンパー１７で構成されたことにより、電気エネルギーを消費することがない。また、使用者が洗浄槽２を急いで引き出そうとしたときに、洗浄槽２の移動に制動力が働くだけでロックされるものではないため、使用者が戸惑ったり不快感を生じたりすることがない。また、ダンパー１７は洗浄槽２を引き出す方向にのみ制動力を発生するものであり、洗浄槽２が押し込まれるときに使用者は余分な力を必要としない。
【００５４】
また、制動力は洗浄槽２が引き出そうとされる速さに応じて変化するので、洗浄槽２がゆっくり引き出される場合には使用者は余分な力を必要としなくて良いし、引き出し時間が無意味に延長されてしまうことが抑制される。そして、洗浄槽２が勢いよく引き出される場合には大きな制動力が発生し、使用者のさまざまな使い方に対応して引き出し速さが抑制され、洗浄水が筐体１の外に飛び出すことが防止されるとともに使い勝手が向上する。
【００５５】
また、システムキッチンに収納される食器洗い機のドア９において、これまでから化粧パネル部分はシステムキッチンの扉の意匠に合わせられるように構成されているが、ハンドルについては食器洗い機独自の意匠を備えていた。本発明の食器洗い機によれば、ハンドルに機能性を持たせる必要がないため、ドア９の化粧パネル９ａとハンドル９ｂとを合わせた全体をシステムキッチンの扉の意匠に合わせることが可能となり、システムキッチンと一体化してシステムキッチンのデザイン性が向上する。
【００５６】
なお、本実施の形態において、ガイド部１６ａに対するダンパー１７の位置は、本実施の形態では引き出し方向の反対側としたが、これに限られるものではなく、引き出し方向側でもよいし、上側や下側でもよい。また、ダンパー１７は傾斜していてもよい。
【００５７】
また、制動装置１４は引張りダンパーを用いて構成したが、圧縮ダンパーを用いてダンパー１７の向きを反転させて構成してもよい。また、ロータリーダンパーとラックアンドピニオンにより構成してもよく、ダンパーの種類は限定されない。
【００５８】
また、突起部１５を制動装置１４の下方で係止するように構成したが、制動装置１４の上下を反転させて突起部１５を制動装置１４の上方で係止するように構成してもよい。
【００５９】
また、制動装置１４と突起部１５を筐体１内の側面後部で構成したが、これらを筐体１内の側面前部で構成してもよい。側面前部にあれば筐体１の前面から制動装置１４に手などが届きやすく、洗浄槽２を引き出した状態で制動装置１４の受け部１８が図５に示される本来の位置から図４に示される収納位置の状態になってしまったときには、本来の位置戻すことが容易になる。
【００６０】
また、制動装置１４は筐体１の左右いずれか片側に取り付けられてもよいしより大きな制動力が必要な場合などで、左右両側に取り付けられてもよい。
【００６１】
さらに、制動装置１４を洗浄槽２の側面に取り付け、突起部１５を筐体１の側壁内側に取り付けてもよく、その動作は本実施の形態と変わりないように構成することができる。
【００６２】
（実施の形態２）
食器洗い機の洗浄槽の引出し速さを抑制する制動装置について、他の構成の一例を説明する。図６は、本発明の実施の形態２における食器洗い機の側面断面模式図である。図７は、本発明の実施の形態２における食器洗い機の他の制動装置の構成を示す模式図である。
【００６３】
制動装置２０は筐体１の内側壁に縦方向で固定されている。制動装置２０は圧縮ダンパー２０ａを備え、ダンパーロッド２０ｂが引き出される方向には制動力を発生しない。ダンパーロッド２０ｂは先端に回転軸２０ｃを有し、回転軸２０ｃに回転自在のローラー２１を備えている。
【００６４】
ローラー２１の外周面が当接し、洗浄槽２の移動とともにローラー２１を上下に移動させて圧縮ダンパー２０ａの制動力を発生させる当接面２２が、洗浄槽２の側面壁に帯状に形成されている。当接面２２は、図６のように洗浄槽２が筐体１内の収納位置にあるとき（図１の洗浄槽位置と同等）にローラー２１が当接している位置Ａの近傍が最も低い位置で水平に形成された水平面２２ａを有する。そして、洗浄槽２がわずかに引き出された位置Ｂから位置Ｃ（図２の洗浄槽位置に相当）まで上り傾斜となる傾斜面２２ｂを有し、それ以降（図３の洗浄槽位置に相当）は洗浄槽２が完全に引き出される位置Ｄまで最も高い位置で水平に形成された水平面２２ｃを有する。
【００６５】
制動装置２０の制動力は、洗浄槽２が収納位置から引き出されるときに収納位置（位置Ａ）から所定位置（位置Ｃ）まで所定時間以上かかるように発生する。なお、圧縮ダンパー２０ａの制動力の大きさについては、実施の形態１の記載と同様である。次に、制動装置２０の動作について説明する。
【００６６】
図６、図７において、洗浄槽２が収納位置（位置Ａ）から引き出されるとき、洗浄槽２に設けられた当接面２２は引き出し方向に移動する。このとき、ローラー２１は当接面２２上で回転する。ここで、位置Ａから位置Ｂまでは、洗浄槽２の動き始めであって、ローラー２１がダンパーロッド２０ｂを押し込まないので圧縮ダンパー２０ａの制動力は発生しない。そのため、使用者が洗浄槽２を引き出すときの最初に必要な一番大きな力が増加することなく、使用感が損なわれない。
【００６７】
そして、洗浄槽２とともに当接面２２が移動する位置Ｂから位置Ｃの傾斜面２２ｂでは、圧縮ダンパー２０ａは、当接面２２上を転がって移動するローラー２１によりダンパーロッド２０ｂを押し込まれて制動力を発生する。この制動力は、使用者が洗浄槽２を勢いよく引き出そうとした場合ほどダンパーロッド２０ｂが勢いよく押し込まれて大きく発生するものであり、ゆっくり引き出す場合には大きな制動力は発生しない。
【００６８】
さらに、位置Ｃから位置Ｄまでは水平面２２ｃであり、ローラー２１がダンパーロッド２０ｂを押し込まないので、圧縮ダンパー２０ａは制動力を発生しない。なお、ローラー２１の回転抵抗は、使用者が洗浄槽２を引き出すときに感じる重量による抵抗に比べて軽微なものであり、問題とならない。
【００６９】
制動装置２０はこの様に動作するため、洗浄槽２が引き出される場合、位置Ｂから位置Ｃまで引き出される間のみ、圧縮ダンパー２０ａの制動力が働く。反対に、洗浄槽２が筐体１内に押し込まれるときには、圧縮ダンパー２０ａは傾斜面２２ｂでダンパーロッド２０ｂを引き出されるので制動力を発生しない。ダンパーロッド２０ｂを引き出すのは、付
加された圧縮バネ（図示せず）によるものでもよいし、ダンパーロッド２０ｂとローラー２１の重量によるものでもよく、限定はされない。
【００７０】
なお、本実施の形態では、ダンパーロッド２０ｂと当接面２２とはローラー２１を介して当接するように構成されるが、これに限られるものではなく、ダンパーロッド２０ｂの先端が当接面２２を摺動するように構成されてもよい。
【産業上の利用可能性】
【００７１】
以上のように、本発明に係る食器洗い機は、収納されるシステムキッチンの扉と同じ意匠の化粧パネルおよびハンドルが前面全てに施され、システムキッチンと一体化したデザイン性の優れた食器洗い機において、洗浄槽の引き出し速さの制動装置により、使用者が勢いよく洗浄槽を引き出そうとしたときに、洗浄ノズルから噴出する水が外に飛び出して周囲を濡らしたり、使用者にかかったりすることを防止することができる。そして、デザイン性と使い勝手を両立した優れた食器洗い機を提供できる。
【符号の説明】
【００７２】
１  筐体
２  洗浄槽
３  案内レール
４  食器類
５  食器かご
６  洗浄装置
７  洗浄ポンプ
８  洗浄ノズル
９  ドア
９ａ  化粧パネル
９ｂ  ハンドル
１０  中蓋
１０ａ  リンク機構
１０ｂ  パッキン
１１  制御装置
１２  操作部
１３  マイクロスイッチ（位置検知装置）
１４  制動装置
１５  突起部
１６  ケース
１６ａ  ガイド部
１６ｂ  係止部
１７  ダンパー
１７ａ  ダンパーロッド
１７ｂ  揺動軸
１８  受け部
１８ａ、１８ｂ  ガイドピン
１８ｃ  凹部
１８ｄ  係止部
１９  バネ
２０  制動装置
２０ａ  圧縮ダンパー
２０ｂ  ダンパーロッド
２０ｃ  回転軸
２１  ローラー
２２  当接面
２２ａ、２２ｃ  水平面
２２ｂ  傾斜面
【図１】
2015146936.tif 000003
【図２】
2015146936.tif 000004
【図３】
2015146936.tif 000005
【図４】
2015146936.tif 000006
【図５】
2015146936.tif 000007
【図６】
2015146936.tif 000008
【図７】
2015146936.tif 000009
【図８】
2015146936.tif 000010
【図９】
2015146936.tif 000011